(57)【要約】【課題】可動フードを有するリール装着部の握持感を良好にすることである。【解決手段】釣竿１は、竿杆２にリール装着部５が取り付けられて形成され、リール装着部５は、リール脚Ｒの載置部６ａを有する握持部（本体部）６とハンドル４に一体に形成された固定フード４ａと釣竿１に螺着され長手方向の軸線Ｃに沿って前後方向に移動する可動フード８を有している。握持部６には先端側に向けて徐々に先細りになる傾斜部７ａを有する延設部７が形成され、延設部７の傾斜部７ａと可動フード８の内側に設けた傾斜面８ｅは対向するように形成されている。【選択図】    図２
2011041511.tif 000002
【特許請求の範囲】
【請求項１】
握持部と該握持部の少なくとも何れか一方の端部に、周囲に傾斜部を有する先細り状の延設部を形成したリール装着部を有し、前記リール装着部の前記延設部の傾斜部に対向する傾斜面を有する可動フードを周方向に回転しながら長手方向に移動して前記延設部を覆うように螺着したことを特徴とする釣竿。
【請求項２】
リール装着部の延設部は握持部の周囲が端部に向けて傾斜状に変移して形成されていることを特徴とする請求項１に記載の釣竿。
【請求項３】
可動フードは、外リングと該外リングの内側に取り付けた度当て部材を有し、前記度当て部材は、前記外リングより軟らかい材料で形成され、前記可動フードの傾斜部を形成していることを特徴とする請求項１または２に記載の釣竿。
【発明の詳細な説明】
【技術分野】
【０００１】
本発明は、リール装着部を有する釣竿に関する。
【背景技術】
【０００２】
従来から釣竿にはリールシート等のリール装着部が設けられ、それぞれの釣りに応じてリールが装着できるようになっている。
釣竿のリール装着部は、リールを載置して握持する握持部（本体部）とリール脚の両端を保持する一対のフード部を有している。
一対のフード部のうち一方は固定フード、他方は握持部に載置したリール脚に対し移動可能な可動フードとなっており、可動フードを操作することでリールが着脱できるようになっている。
例えば、特許文献１のリールシートは、可動フードが握持部に螺合され、可動フードの回動操作で握持部の長手方向に移動させてリール脚をフード部と握持部（本体部）で狭持して装着または取り外しができるようになっている。
ところが、握持部に螺子部を設けて可動フードを螺合したリールシートを釣竿に取り付けた場合には、可動フードは、その開口がリール脚に向かって広がるように形成されているため、リールを取り付けたときにリール装着部のリール脚を載置した反対側で可動フードの開口と握持部の間に隙間ができて握持感が悪かった。
【特許文献１】実開昭５３−１５０７８７号
【発明の概要】
【発明が解決しようとする課題】
【０００３】
解決しようとする問題点は、可動フードを螺合して設けたリール装着部は、リールを取り付けたときに可動フードと握持部の間に隙間ができてしまうことである。
【０００４】
本発明の目的は前記欠点に鑑み、螺着した可動フードを有するリール装着部の握持感を良好にすることである。
【課題を解決するための手段】
【０００５】
本発明の請求項１は、握持部と該握持部の少なくとも何れか一方の端部に、周囲に傾斜部を有する先細り状の延設部を形成したリール装着部を有し、前記リール装着部の前記延設部の傾斜部に対向する傾斜面を有する可動フードを周方向に回転しながら長手方向に移動して前記延設部を覆うように螺着したことを要旨とするものである。
本発明の請求項２は、リール装着部の延設部は握持部の周囲が端部に向けて傾斜状に変移して形成されていることを要旨とするものである。
本発明の請求項３は、可動フードは、外リングと該外リングの内側に取り付けた度当て部材を有し、前記度当て部材は、前記外リングより軟らかい材料で形成され、前記可動フードの傾斜部を形成していることを要旨とするものである。
【発明の効果】
【０００６】
本発明の請求項１によると、可動フードが螺着されて回動しながらリール脚を締め付けるため強固にリールの装着ができ、リール装着部端部の傾斜部と可動フードの傾斜面が対向しているため、リールを装着したときに握持部と可動フードの間の隙間が小さくなり握持感が向上する。
本発明の請求項２によると、リール装着部の延設部は握持部の周囲が端部に向けて傾斜状に変移して形成されているため、握持部と延設部の間が連続して形成されるため握持感が向上する。
本発明の請求項３によると、可動フードの外リングの内側に外リングより軟らかい材料の度当て部材を有しているため回動しながらリール脚を締め付けてもリール脚を傷つけることが防止される。
【産業上の利用可能性】
【０００７】
本発明は、リール装着部を有する釣竿に利用できる。
【図面の簡単な説明】
【０００８】
【図１】図１は、第１実施例で釣竿の全体図である。
【図２】図２は、同リール装着部の縦方向断面図である。
【図３】図３は、同リール装着部の可動フード部分の縦断面図である。
【図４】図４は、同リール装着部の可動フード部分の横断面図である。
【図５】図５は、同リール装着部の可動フード部分の一部断面平面図である。
【図６】図６は、第２実施例で、リール装着部の可動フード部分の縦断面図である。
【発明を実施するための最良の形態】
【０００９】
本願発明を図示の実施例によって説明すると、図１から図５は本願の第１実施例で、図１は釣竿の全体図、図２はリール装着部の縦方向断面図、図３は可動フード部分の縦断面図、図４は可動フード部分の横（Ａ−Ａ）断面図、図５は可動フード部分の一部断面平面図である。
【００１０】
釣竿１は、竿杆２にリール装着部５が取り付けられて形成され、リール装着部５の後端側にハンドル４が取り付けられ、さらにハンドル４の後端には尻栓４ａが取り付けられている。
また、竿杆２には釣り糸が挿通されるガイド３が竿杆２の長手方向に複数取り付けられている。
【００１１】
竿杆２は、ガラスや炭素繊維等の繊維強化樹脂で先端側になるに従って細くなるテーパーを有し、ソリッド状または管状に形成され、１本または複数の竿杆で形成される。
また、竿杆２の後端側に設けたリール装着部５は、釣りに応じた様々なリールが装着できるようになっている。
【００１２】
リール装着部５は、竿杆２に取り付けられ釣竿１の長手方向に沿って延びるように形成した握持部（本体部）６を有し、この握持部６は、管状に形成され、その中央を長手方向に貫通する挿通孔に竿杆２の後端側を挿通した状態で接着等で取り付けられている。
【００１３】
握持部（本体部）６は金属、合成樹脂、木材、又はこれらの合製材料等で略断面円筒状の筒状に形成され、その一側（上部側）にリール脚の載置部６ａが形成されている。
載置部６ａは握持部（本体部）６の上面側に長手方向に沿って形成されたリール脚の裏面を当てて安定的に保持するための載置面で、握持部（本体部）６の周方向に形成された他の湾曲面に比べて平面状に形成されている。
握持部（本体部）６は、載置部６ａにリール脚Ｒを載置してリールを取り付け、釣り人がリール脚Ｒと共に握持して釣竿１を保持する握持部とリールシートとしての本体部を兼ねている。
【００１４】
握持部６は、長手方向中央側の周面は釣竿１の長手方向の軸線Ｃにおよそ沿った平面や曲面又はこれらの組み合わせで形成され、その長手方向の一端側（前方側）に先端側に向けて徐々に先細りになるようにその周囲に傾斜部７ａが形成された延設部７を有し、他端側（後方側）には固定フード４ａするハンドル４が取り付けられている。
握持部６とその一部分である延設部７との境界部５ａは、握持部６長手方向中央側の周面が軸線Ｃにおよそ沿った状態から握持部（本体部）６の端部に向けて軸線Ｃに近づく方向に傾斜するように変移する境界になっている。
この境界部５ａにおける周面は連続面にて長手方向に沿った方向から軸線Ｃに近づく方向に変移し、握持部（本体部）６の周面の方向が変化するだけで、段差を生じるようないわゆる段部は形成されていない。
なお、ハンドル４は円筒状に形成されその中央側の挿通孔に竿杆２の後端側が挿通されて接着等で取り付けられ、固定フード４ａが一体に形成されており、固定フード４ａは握持部６の後端側の上側（載置部６ａの位置）に握持部６に向けて開口しリール脚Ｒの後端側が差し込み可能になっている。
【００１５】
握持部６の延設部７の傾斜部７ａは、載置部６ａが握持部６から延設部７に延長されて形成されているため、載置部６ａが設けられた一側（上部側）を除いた周面に設けられた傾斜面で形成されている。
傾斜部７ａは、載置部６ａが設けられた部分を除いて断面が真円に形成され、その周面は釣竿１の長手方向の軸線Ｃを中心にした周方向に真円の円弧状に形成される。
【００１６】
リール脚Ｒの上面側のリール脚Ｒの端部から中央部に向かう稜線の傾斜角がリール脚Ｒの底面（載置面）に対し３度から２０度の角度で形成されているため、延設部７の傾斜部７ａは、これと合致するように釣竿１の長手方向の軸線Ｃに対し３度から２０度の傾斜を有する傾斜面で形成して、延設部７がリール脚Ｒを添えた時にその上下が対称な形状に近づくようにしているのでバランスがよく、釣り人がリール脚Ｒと共に握持しやすくし、後に説明する可動フード８によるリール脚Ｒの保持も確実にできるようになっている。
【００１７】
リール装着部５は、握持部６に隣接する前方に竿杆２が挿通されて螺子体９が取り付けられており、螺子体９にはその周面に螺子部９ａが形成されている。
螺子体９は、握持部６と別体で形成したが握持部６と一体に形成してもよい。
また、螺子体９は、握持部６に隣接せずに離して竿杆２に取り付けても良いし、螺子体９を設けずに竿杆２に直接螺子切りをして螺子体９の螺子部９ａに代わる螺子部を形成しても良い。
何れの場合も可動フード８は、釣竿１の長手方向の軸線Ｃを中心に周方向に回動するように釣竿１の何れかの位置に螺着されていればよい。
【００１８】
さらに、上記螺子体９に可動フード８が螺着され、回動することで釣竿１の長手方向の軸線Ｃに沿って前後方向に移動することができるようになっている。
可動フード８は、握持部６側に開口８ｃを有するキャップ状に形成され、螺子体９に螺合されて保持され釣竿１の長手方向の軸線Ｃを中心に周方向に回動でき、握持部６側に移動させると開口８ｃ側から握持部６の延設部７の外周を覆って載置部６ａの一部（前端側）を覆うことができる。
【００１９】
可動フード８は、外側部を形成する金属等の硬質部材で形成されたキャップ状の外リング８ａとその外リング８ａの内側に取り付けられ外リングより軟らかいゴムや合成樹脂等の材料で形成された度当て８ｂを有しており、また、可動フード８は、外リング８ａの開口８ｃの反対側にも挿通孔を有し、竿杆２が余裕を持って挿通され可動フード８の移動を規制しないようになっている。
なお、螺子体９の先端側に更に飾り管１０が取り付けられて可動フード８に前方側に突出する竿杆２を保護し、可動フード８の移動に伴って現れる部分の外観を良好にしている。
【００２０】
可動フード８の外リング８ａの外側面は軸線Ｃに沿った周面を有し、外リング８ａの内側にはその内側周面に沿って度当て８ｂが外リング８ａと一体的に取り付けられ開口８ｃ側がリール脚Ｒに当接するようになっており、奧側の内側に螺子部８ｄが形成され螺子体９の螺子部９ａと螺合している。
【００２１】
可動フード８の内側に設けた度当て８ｂは開口８ｃに向かって広がるように傾斜する傾斜面８ｅが可動フード８の内周壁に沿って一周するように形成され、傾斜面８ｅは握持部６の延設部７の傾斜部７ａと同様に釣竿１の長手方向の軸線Ｃに対し３度から２０度の角度の傾斜を有しており、可動フード８が握持部６の延設部７を覆うと可動フード８の傾斜面８ｅと延設部７の傾斜部７ａは同様の角度で形成され互いに対向する。
度当て８ｂはその厚みが可動フード８の開口８ｃ側よりも奧側が厚く形成され、奧側から開口８ｃ側になるにしたがって徐々に薄くなっている。
【００２２】
リール装着部５にリールを装着するときは、可動フード８を握持部６から離れる方向（釣竿１の先端側）に移動させた状態で、リール脚Ｒをその後端側が固定フード４ａ内に挿入された状態にして握持部（本体部）６の載置部６ａの上に載せる。
次に、螺子体９に螺合した可動フード８を回動して握持部（本体部）６方向に移動させ、可動フード８の度当て８ｂがリール脚Ｒの上面に当接しリール脚Ｒを握持部６の載置部６ａに押圧しながら可動フード８と握持部６で狭持する。
【００２３】
可動フード８は、可動フード８自体が螺子部８ｄ、９ａで支持されて回動しながら移動するため、その回動状態においてガタが少なく確実に移動することができるため、可動フード８の傾斜面８ｅと握持部６の延設部７の傾斜部７ａは同じ角度で対向して周方向および長手方向に対向する位置を変えながら互いの距離が近くなり、両者の傾斜面は対向状態のままで両者間の間隙は小さくなる。
【００２４】
さらに、図２、図５の二点鎖線のように傾斜面８ｅと傾斜部７ａは対向状態のままで当接し、可動フード８の開口８ｃは延設部７の傾斜部７ａに当接して載置部６側を除いて閉塞される。
この時、可動フード８の開口８ｃは境界部５ａに達しないで、傾斜部７ａの境界部５ａ側（握持部６側）の一部が現れた状態で移動が規制される。
この状態で、可動フード８の外径と握持部６中央側の外径は同じに形成されているため、握持部６と傾斜部７ａの境界の境界部５ａから可動フード８の開口８ｃまでの間に延設部７の傾斜部７ａの一部が窪んだ状態で現れるが、境界部５ａは面の方向が変移するだけで段差がないためその窪みは緩やかでリール装着部５の握持感は悪化しない。
【００２５】
可動フード８はまたリール脚Ｒの上方を覆って回動しながら移動し、やがてリール脚Ｒの上面に摺接しながらリール脚Ｒを握持部６の載置部６ａに押圧する。
したがって、可動フード８の軟質材からなる度当て８ｂは変形しながら確実にリール脚Ｒを載置部６ａに押圧し保持する。
また、固定フード４ａ内に挿入されたリール脚Ｒの後端側は、可動フード８によるリール脚Ｒの前端側の押圧によって固定フード４ａの奧側に押圧されて保持される。
【００２６】
可動フード８を締め付けて載置部６ａ上にてリール脚Ｒを保持しているため可動フード８の傾斜面８ｅと握持部６と傾斜部７ａが接触せずに両者間に間隙が生じることがあるが、両者の傾斜面は対向しているためその隙間を小さくすることができ、使用中のゴミの侵入を防止できる。
【００２７】
図６は、第２実施例で、リール装着部の可動フード部分の縦断面図である。
第２実施例では、螺子体９０と飾り管１００を握持部６０と一体に形成して竿杆２の撓りによる螺子部９０ａの方向性のブレを少なくしている。
したがって、第１実施例では、可動フード８を竿杆２に取り付けた螺子体９に螺着していたが、第２実施例では、部品を少なくすることができると共に、握持部６０に螺子部９０ａを形成しているため可動フード８の回動および長手方向の移動がスムースになり、リール脚Ｒの保持が確実に行える。
このように、第２実施例においても第１実施例と同様の作用効果が得られる。
なお、その他の構成は第１実施例と同じである。
【符号の説明】
【００２８】
１    釣竿
２    竿杆
５    リール装着部
６    握持部（本体部）
６ａ  載置部
７    延設部
８    可動フード
Ｒ    リール脚
【図１】
2011041511.tif 000003
【図２】
2011041511.tif 000004
【図３】
2011041511.tif 000005
【図４】
2011041511.tif 000006
【図５】
2011041511.tif 000007
【図６】
2011041511.tif 000008